(57)【要約】【課題】光回線分配装置の構造を改善して費用及び手間を最小化し、波長移動により発生し得る遅延を減少させられる送信装置を提供する。【解決手段】多波長光信号を提供する多波長光源３６と、この多波長光信号を多重化／逆多重化手段３４へ伝達し、該多重化／逆多重化手段からの多重化送信信号を出力として伝達する光循環手段３５と、この光循環手段からの多波長光信号を逆多重化し、情報を含んだ波長別光信号を多重化して循環手段へ伝達する多重化／逆多重化手段３４と、その逆多重化された光信号を波長に応じ連結状態を換えて回線分配してチャンネル化手段３７へ伝達し、該チャンネル化手段からの情報を含んだ光信号を多重化／逆多重化手段へ伝達する光空間スイッチング手段３３と、その回線分配されてくる光信号を変調した後に光空間スイッチング手段へ伝達するチャンネル化手段３７と、を備える送信装置を提供する。【選択図】  図３
2004208310.tif 000002
【特許請求の範囲】
【請求項１】
波長分割多重化ネットワークに使用可能な多波長光源を利用した送信装置であって、
情報をのせてない多波長形態の光信号を提供するための多波長光源提供手段と、
前記多波長光源提供手段からの前記情報をのせてない多波長光信号を多重化／逆多重化手段へ伝達し、前記多重化／逆多重化手段からの多重化送信信号を出力として伝達するための第１光循環手段と、
前記第１光循環手段からの前記多波長光信号を逆多重化して伝達し、情報を含んだ波長別光信号を多重化して前記第１光循環手段へ伝達するための前記多重化／逆多重化手段と、
前記多重化／逆多重化手段を通じて逆多重化された光信号を波長に応じ連結状態を換えて回線分配してチャンネル化手段へ伝達し、前記チャンネル化手段からの前記情報を含んだ光信号を前記多重化／逆多重化手段へ伝達するための光空間スイッチング手段と、
前記光空間スイッチング手段を通じて回線分配されて伝達されてくる前記光信号を変調し、該変調光信号を前記光空間スイッチング手段へ伝達するための前記チャンネル化手段と、を備えることを特徴とする多波長光源を利用した送信装置。
【請求項２】
チャンネル化手段は、
光空間スイッチング手段を通じて回線分配されて伝達されてくる光信号を変調手段へ伝達し、前記変調手段を通じて変調された光信号を前記光空間スイッチング手段へ伝達するための第２光循環手段と、
前記第２光循環手段を通じて伝達されてくる前記光信号を変調するための前記変調手段と、を備える請求項１記載の多波長光源を利用した送信装置。
【請求項３】
多波長光源提供手段は、
それぞれ異なる波長を有する所定数の個別光源提供手段と、
前記個別光源提供手段の各出力光信号を多重化するための多重化手段と、を備える請求項１または請求項２記載の多波長光源を利用した送信装置。
【請求項４】
チャンネル化手段は光空間スイッチング手段と連結された複数のチャンネルカードからなり、その各チャンネルカードがそれぞれ変調手段及び第２光循環手段を備え、前記各変調手段は、それぞれ前記第２光循環手段を通じて前記光空間スイッチング手段から回線分配された光信号を受ける請求項２記載の多波長光源を利用した送信装置。
【請求項５】
チャンネルカードは、多重化／逆多重化手段のそれぞれのポートに対応する請求項４記載の多波長光源を利用した送信装置。
【請求項６】
波長分割多重化ネットワークに使用可能な送信装置であって、
異なる波長を有する複数の個別光源と、
前記個別光源のうちの１つにそれぞれ連結される複数の光循環手段と、
前記各光循環手段の第１伝達経路に連結されて情報をのせた光信号の多重化を行う多重化／逆多重化手段と、
前記光循環手段の第２伝達経路に連結されて前記個別光源から情報をのせてない光信号を受け、その波長に応じて回線分配してチャンネル化手段へ伝達し、前記チャンネル化手段からの前記情報をのせた光信号を前記光循環手段の第１伝達経路へ伝達する光空間スイッチング手段と、
前記光空間スイッチング手段を通じて回線分配されて伝達されてくる前記光信号を変調し、該変調光信号を前記光空間スイッチング手段へ伝達するための前記チャンネル化手段と、を備えることを特徴とする送信装置。
【請求項７】
チャンネル化手段は光空間スイッチング手段と連結された複数のチャンネルカードからなり、その各チャンネルカードがそれぞれ変調手段及び第２の光循環手段を備え、前記各変調手段は、それぞれ前記第２の光循環手段を通じて前記光空間スイッチング手段から回線分配された光信号を受ける請求項６記載の送信装置。
【請求項８】
チャンネルカードは、多重化／逆多重化手段のそれぞれのポートに対応する請求項７記載の送信装置。
【請求項９】
波長分割多重化ネットワークにおける多波長光源を利用した送信方法であって、
情報をのせてない多波長形態の光信号を多波長光源から提供する第１過程と、
第１光循環手段により、前記情報をのせてない多波長光信号を多重化／逆多重化手段へ伝達するとともに前記多重化／逆多重化手段から伝達されてくる多重化送信信号を出力として伝送し、前記多重化／逆多重化手段により、前記多波長光信号を逆多重化して伝達するとともに情報を含んだ波長別光信号を多重化して前記第１循環手段へ伝達する第２過程と、
光空間スイッチング手段により、前記多重化／逆多重化手段を通じて逆多重化された光信号を波長に応じ連結状態を換えて回線分配してチャンネル化手段へ伝達し、前記チャンネル化手段からの前記情報を含んだ光信号を前記多重化／逆多重化手段へ伝達する第３過程と、
前記チャンネル化手段により、前記光空間スイッチング手段を通じて回線分配されて伝達されてくる前記光信号を変調し、該変調光信号を前記光空間スイッチング手段へ伝達する第４過程と、を含むことを特徴とする多波長光源を利用した送信方法。
【請求項１０】
第４過程のチャンネル化手段は、光空間スイッチング手段を通じて回線分配されて伝達されてくる光信号を第２光循環手段を通じて変調手段へ伝達し、前記変調手段を通じて変調された光信号を前記第２光循環手段を通じて前記光空間スイッチング手段へ伝達する請求項９記載の多波長光源を利用した送信方法。
【請求項１１】
第１過程は、
複数の個別光源により、それぞれ異なる波長を有する所定数の光信号を提供する第６過程と、
前記所定数の光信号を多重化し、情報をのせてない多波長形態の光信号として提供する第７過程と、からなる請求項９または請求項１０記載の多波長光源を利用した送信方法。
【請求項１２】
第４過程のチャンネル化手段は、光空間スイッチング手段と連結された複数のチャンネルカードからなり、その各チャンネルカードがそれぞれ変調手段及び第２光循環手段を備え、前記各変調手段は、それぞれ前記第２光循環手段を通じて前記光空間スイッチング手段から回線分配された光信号を受ける請求項１０記載の波長分割多重化ネットワークにおける多波長光源を利用した送信方法。
【請求項１３】
チャンネルカードが多重化／逆多重化手段のそれぞれのポートに対応する請求項１２記載の多波長光源を利用した送信方法。
【請求項１４】
波長分割多重化ネットワークにおける送信方法であって、
複数の個別光源により、異なる波長を有する情報をのせてない光信号を提供する第１過程と、
複数の光循環手段の第１伝達経路により、前記情報をのせてない光信号をそれぞれ光空間スイッチング手段へ伝達する第２過程と、
前記光循環手段の第２伝達経路により、前記光空間スイッチング手段から情報を含んだ光信号を多重化／逆多重化手段へ伝達して多重化する第３過程と、
前記光空間スイッチング手段により、前記情報をのせてない光信号を波長に応じ回線分配してチャンネル化手段へ伝達し、該チャンネル化手段で前記回線分配された光信号を変調して前記情報を含んだ光信号とした後に前記光空間スイッチング手段へ伝達する第４過程と、を含むことを特徴とする送信方法。
【請求項１５】
第４過程のチャンネル化手段は、光空間スイッチング手段と連結された複数のチャンネルカードからなり、その各チャンネルカードがそれぞれ変調手段及び第２の光循環手段を備え、前記各変調手段は、それぞれ前記第２の光循環手段を通じて前記光空間スイッチング手段から回線分配された光信号を受ける請求項１４記載の送信方法。
【請求項１６】
チャンネルカードが多重化／逆多重化手段のそれぞれのポートに対応する請求項１５記載の送信方法。
【発明の詳細な説明】
【技術分野】
【０００１】
本発明は、波長分割多重化ネットワークにおける多波長光源を利用した送信装置に関し、特に、多波長光源を使用することにより送信装置の構造を改善して性能を高め、下位システム(Subsystem)の規格を均一化させる多波長光源を利用した送信装置に関する。
【背景技術】
【０００２】
超高速光通信分野において、単一光ファイバで大容量のデータを伝送するために複数の光チャンネルを利用する波長分割多重化(Wavelength Division Multiplexing；ＷＤＭ)方式が使用されている。近い将来に、光通信網は、固定された線路を通じて伝送する現在の線形または環形の網から発展して、必要な場合には光経路を転換して動的に網を再構成する全光通信網(All Optical Transmission Network)に移行すると予想される。特に、基幹網は、各ノードで回線を再構成できる光回線分配装置(Optical Cross-Connector；ＯＸＣ)に基づいたメッシュ(mesh)形態の網になると思われる。
【０００３】
光回線分配装置は、電気的方式又は光学的方式で具現することができる。電気的方式は、入力される光信号を、光電変換(optical-to-electric conversion)を通じて電気信号へ変換した後にスイッチング動作を遂行し、さらに光信号へ変換する方式である。一方、光学的方式は、入力リンクから入る波長多重化された光信号を逆多重化し、空間スイッチを利用して波長単位でスイッチングする方式である。
【０００４】
この光学的方式による代表的な光回線分配装置は、波長変換器(Wavelength Converter；ＷＣ)を利用した送信装置を利用する構造と可変波長光源を利用した送信装置を利用する構造とがある。本発明は、光回線分配装置において、電気信号を受信する部分を除外した送信装置を主眼としたものなので、以下では、送信装置を中心にして説明する。
【０００５】
図１は、従来技術による波長分割多重化ネットワークにおける波長変換器を利用した一般的な送信装置を示す。
【０００６】
図１に示す送信装置は、ｎ個の直接変調光源(Direct Modulated Laser Diode)１１−１〜１１−ｎと、ｎ個の直接変調光源１１−１〜１１−ｎからの光信号の連結状態を換えて回線分配するための光空間スイッチ(Optical Spacel Switch)１２と、光空間スイッチ１２を通じて回線分配された光信号を多重化器(Multiplexer)１５で使用する波長信号に換えるためのｎ個の波長変換器(Optical Wavelength Converter)１３−１〜１３−ｎと、ｎ個の波長変換器１３−１〜１３−ｎの波長変換に必要な同調波長を供給するためのｎ個のレーザダイオード(Laser Diode；ＬＤ)１４−１〜１４−ｎと、波長変換器１３−１〜１３−ｎから入力される伝送信号チャンネルを多重化するための多重化器１５と、から構成される。
【０００７】
このような波長分割多重化ネットワークにおける波長変換器を利用した送信装置は、直接変調光源１１−１〜１１−ｎを使用して光信号を生成した後、光空間スイッチ１２を利用して多重化器１５のチャンネルポートに向かわせる。このとき、波長衝突(Contention)を避けるために直接変調光源１１−１〜１１−ｎの波長を多重化器１５のポートに合う波長に変換させなければならないので、波長変換器１３−１〜１３−ｎを利用することになる。
【０００８】
しかし、このような波長分割多重化ネットワークにおける波長変換器を利用した送信装置は、チャンネル別に波長変換器を備えなければならず、その波長変換器の動作のためには、波長変換器ごと波長変換に必要な同調波長を供給するためのレーザダイオードを追加しなければならない。そのため、装備が高価であり、設計のときに構成部品が多すぎて設計が複雑になる問題点がある。
【０００９】
図２は、従来技術による波長分割多重化ネットワークにおける可変波長光源を利用した送信装置を示す。
【００１０】
図２に示す送信装置は、ｎ個の可変波長光源(Tunable Laser Source；ＴＬＳ)２１−１〜２１−ｎと、可変波長光源２１−１〜２１−ｎからの光信号に対して変調を行うためのｎ個の変調器２２−１〜２２−ｎと、ｎ個の変調器２２−１〜２２−ｎを通じて変調された信号チャンネルの連結状態を換えて回線分配するための光空間スイッチ２３と、光空間スイッチ２３を通じて回線分配された伝送信号チャンネルを多重化するための多重化器２４と、から構成される。
【００１１】
このような波長分割多重化ネットワークにおける可変波長光源を利用した送信装置は、可変波長光源が光空間スイッチの状態情報を受信して多重化器のポートと一致する波長に変換するので、図１でのような波長変換器が不要になる。
【００１２】
しかし、可変波長光源も高価の装備であり、また可変波長光源は、その反応速度が比較的遅いから、可変波長光源の遅延時間がスイッチング時間に追加されて高速変換が必要な光回線分配装置の送信部には適合と言えない問題点がある。
【発明の開示】
【発明が解決しようとする課題】
【００１３】
上記背景に鑑みて本発明の目的は、光回線分配装置の構造を改善して費用及び手間を最小化し、波長移動により発生する可能性がある時間遅延を減少させることができる多波長光源を利用した送信装置を提供することにある。
【課題を解決するための手段】
【００１４】
このような目的を達成するために、本発明によれば、波長分割多重化ネットワークに使用可能な多波長光源を利用した送信装置として、情報をのせてない多波長形態の光信号を提供するための多波長光源提供手段と、この多波長光源提供手段からの情報をのせてない多波長光信号を多重化／逆多重化手段へ伝達し、該多重化／逆多重化手段からの多重化送信信号を出力として伝達するための第１光循環手段と、この第１光循環手段からの多波長光信号を逆多重化して伝達し、情報を含んだ波長別光信号を多重化して第１循環手段へ伝達するための多重化／逆多重化手段と、この多重化／逆多重化手段を通じて逆多重化された光信号を波長に応じ連結状態を換えて回線分配してチャンネル化手段へ伝達し、該チャンネル化手段からの情報を含んだ光信号を多重化／逆多重化手段へ伝達するための光空間スイッチング手段と、この光空間スイッチング手段を通じて回線分配されて伝達されてくる光信号を変調し、該変調光信号を光空間スイッチング手段へ伝達するためのチャンネル化手段と、を備えることを特徴とする多波長光源を利用した送信装置を提案する。
【００１５】
チャンネル化手段は、光空間スイッチング手段を通じて回線分配されて伝達されてくる光信号を変調手段へ伝達し、この変調手段を通じて変調された光信号を光空間スイッチング手段へ伝達するための第２光循環手段と、この第２光循環手段を通じて伝達されてくる光信号を変調するための変調手段と、を備える構成とすることができる。また、多波長光源提供手段は、それぞれ異なる波長を有する所定数の個別光源提供手段と、この個別光源提供手段の各出力光信号を多重化するための多重化手段と、を備えたものとすることもできる。
【００１６】
チャンネル化手段は、光空間スイッチング手段と連結された複数のチャンネルカードからなり、その各チャンネルカードがそれぞれ変調手段及び第２光循環手段を備え、その各変調手段は、それぞれ第２光循環手段を通じて光空間スイッチング手段から回線分配された光信号を受ける構成とすることが可能である。そのチャンネルカードは、多重化／逆多重化手段のそれぞれのポートに対応するものとするのがよい。
【００１７】
また、本発明によれば、波長分割多重化ネットワークに使用可能な送信装置として、異なる波長を有する複数の個別光源と、これら個別光源のうちの１つにそれぞれ連結される複数の光循環手段と、これら各光循環手段の第１伝達経路に連結されて情報をのせた光信号の多重化を行う多重化／逆多重化手段と、光循環手段の第２伝達経路に連結されて個別光源から情報をのせてない光信号を受け、その波長に応じて回線分配してチャンネル化手段へ伝達し、該チャンネル化手段からの情報をのせた光信号を光循環手段の第１伝達経路へ伝達する光空間スイッチング手段と、この光空間スイッチング手段を通じて回線分配されて伝達されてくる光信号を変調し、該変調光信号を光空間スイッチング手段へ伝達するためのチャンネル化手段と、を備えることを特徴とする送信装置を提案する。
【００１８】
チャンネル化手段は、光空間スイッチング手段と連結された複数のチャンネルカードからなり、その各チャンネルカードがそれぞれ変調手段及び第２の光循環手段を備え、その各変調手段は、それぞれ第２の光循環手段を通じて光空間スイッチング手段から回線分配された光信号を受けるものとすることができる。このチャンネルカードは、多重化／逆多重化手段のそれぞれのポートに対応するものとするのがよい。
【００１９】
さらに、本発明によれば、波長分割多重化ネットワークにおける多波長光源を利用した送信方法として、情報をのせてない多波長形態の光信号を多波長光源から提供する第１過程と、第１光循環手段により、その情報をのせてない多波長光信号を多重化／逆多重化手段へ伝達するとともに該多重化／逆多重化手段から伝達されてくる多重化送信信号を出力として伝送し、この多重化／逆多重化手段により、多波長光信号を逆多重化して伝達するとともに情報を含んだ波長別光信号を多重化して第１循環手段へ伝達する第２過程と、光空間スイッチング手段により、多重化／逆多重化手段を通じて逆多重化された光信号を波長に応じ連結状態を換えて回線分配してチャンネル化手段へ伝達し、このチャンネル化手段からの情報を含んだ光信号を多重化／逆多重化手段へ伝達する第３過程と、チャンネル化手段により、光空間スイッチング手段を通じて回線分配されて伝達されてくる光信号を変調し、該変調光信号を光空間スイッチング手段へ伝達する第４過程と、を含むことを特徴とする多波長光源を利用した送信方法を提案する。
【００２０】
第４過程のチャンネル化手段は、光空間スイッチング手段を通じて回線分配されて伝達されてくる光信号を第２光循環手段を通じて変調手段へ伝達し、この変調手段を通じて変調された光信号を第２光循環手段を通じて光空間スイッチング手段へ伝達するものとすることができる。また、第１過程は、複数の個別光源により、それぞれ異なる波長を有する所定数の光信号を提供する第６過程と、その所定数の光信号を多重化し、情報をのせてない多波長形態の光信号として提供する第７過程と、からなるものとしてもよい。
【００２１】
第４過程のチャンネル化手段は、光空間スイッチング手段と連結された複数のチャンネルカードからなり、その各チャンネルカードがそれぞれ変調手段及び第２光循環手段を備え、その各変調手段は、それぞれ第２光循環手段を通じて光空間スイッチング手段から回線分配された光信号を受けるものとすることができる。このチャンネルカードは多重化／逆多重化手段のそれぞれのポートに対応するものとするのがよい。
【００２２】
また、本発明によれば、波長分割多重化ネットワークにおける送信方法として、複数の個別光源により、異なる波長を有する情報をのせてない光信号を提供する第１過程と、複数の光循環手段の第１伝達経路により、その情報をのせてない光信号をそれぞれ光空間スイッチング手段へ伝達する第２過程と、該光循環手段の第２伝達経路により、光空間スイッチング手段から情報を含んだ光信号を多重化／逆多重化手段へ伝達して多重化する第３過程と、光空間スイッチング手段により、情報をのせてない光信号を波長に応じ回線分配してチャンネル化手段へ伝達し、該チャンネル化手段で回線分配された光信号を変調して情報を含んだ光信号とした後に光空間スイッチング手段へ伝達する第４過程と、を含むことを特徴とする送信方法を提案する。
【００２３】
第４過程のチャンネル化手段は、光空間スイッチング手段と連結された複数のチャンネルカードからなり、その各チャンネルカードがそれぞれ変調手段及び第２の光循環手段を備え、その各変調手段は、それぞれ第２の光循環手段を通じて光空間スイッチング手段から回線分配された光信号を受けるものとすることができる。このチャンネルカードは多重化／逆多重化手段のそれぞれのポートに対応するものとするのがよい。
【発明の効果】
【００２４】
本発明は、波長分割多重化ネットワークにおいて、多波長光源を利用した送信装置を提供することにより、波長変換器なしで光回線分配装置を具現することができる。その結果、高価な装備である波長変換器で必要であった波長変換のための個別光源に関する費用負担を軽減させることができ、また、波長及び光強度安定化回路などに使用されるデバイス数を減少させることにより、その設計の単純化を図ることができる。
【００２５】
また、本発明は、波長分割多重化ネットワークにおいて多波長光源を利用した送信装置を提供することにより、可変波長光源に比べて波長変換に別途所要される時間がなくなるので、高速変換が可能になって時間遅延を減少させることができる。さらに、高価な装備である可変波長光源に比べて相対的に低価の多波長光源を使用することにより費用を低減させることができる。
【発明を実施するための最良の形態】
【００２６】
以下、本発明の好適な実施形態について添付図を参照しつつ詳細に説明する。下記説明において、本発明の要旨のみを明瞭するために公知の機能又は構成に対する詳細な説明は省略する。なお、図面中、同一な構成要素及び部分には、可能な限り同一な符号及び番号を共通使用するものとする。
【００２７】
図３は、本発明による多波長光源を利用した送信装置の第１実施例を示す。
【００２８】
図３に示すように、多波長光源を利用した送信装置は、多波長光源(Multiple Lambda Source；ＭＬＳ)を導入し、光経路循環を行って多波長光源を逆多重化し、光空間スイッチを通じて波長別にチャンネルカードに連結してチャンネル別に変調した後、光空間スイッチを通じて多重化して送信信号を構成する。
【００２９】
さらに詳細にその構成を説明すると、本発明による多波長光源を利用した送信装置は、情報をのせない多波長形態の光信号を提供する多波長光源３６と、多波長光源３６と多重化／逆多重化器３４及び伝送ケーブル３８とに連結されて信号を伝達するサーキュレータ３５と、サーキュレータ３５から受信した信号を逆多重化して伝達し、チャンネルカードを通じて伝達されてくる信号を多重化して伝達する多重化／逆多重化器３４と、多重化／逆多重化器３４を通じて逆多重化された信号の連結状態を換えてチャンネルカード３７−１〜３７−ｎへ連結し、またチャンネルカード３７−１〜３７−ｎからの信号を多重化／逆多重化器３４へ伝達する光空間スイッチ３３と、光空間スイッチ３３を通じて伝達されてきた信号に対し変調を行って伝達するチャンネルカード３７−１〜３７−ｎと、から構成される。
【００３０】
そして、サーキュレータ３５は、多波長光源３６からの情報のない多波長信号を多重化／逆多重化器３４へ伝達し、多重化／逆多重化器３４からの多重化信号を伝送ケーブル３８へ伝達する機能を遂行する。多重化／逆多重化器３４は、サーキュレータ３５からの情報のない多波長信号を逆多重化して光空間スイッチ３３へ伝達し、光空間スイッチ３３を通じて伝達されてくる情報を含んだ波長別信号を多重化して伝達する機能を遂行する。
【００３１】
光空間スイッチ３３の一方の入出力端は、変調器３１−１〜３１−ｎとサーキュレータ３２−１〜３２−ｎとの組合せであるチャンネルカード３７−１〜３７−ｎに連結されており、光空間スイッチ３３の他方の入出力端は、多重化／逆多重化器３４の各ポートと連結され、多重化／逆多重化器３４から伝達される逆多重化信号をスイッチングして回線分配し、波長に応じたチャンネルカード３７−１〜３７−ｎへ連結し、また、チャンネルカード３７−１〜３７−ｎからの変調信号を多重化／逆多重化器３４へ伝達する機能を遂行する。
【００３２】
そして、チャンネルカード３７−１〜３７−ｎは、光空間スイッチ３３により回線分配された信号を変調し、変調後の信号をさらに光空間スイッチ３３へ伝達する機能を遂行するための装置で、多重化／逆多重化器３４の各ポートに対応する。
【００３３】
特に、チャンネルカード３７−１〜３７−ｎは、光空間スイッチ３３を通じて回線分配された波長別信号を変調器３１−１〜３１−ｎへ伝達し、変調器３１−１〜３１−ｎを通じて変調された信号を光空間スイッチ３３へ伝達するサーキュレータ３２−１〜３２−ｎ及び回線分配された波長別信号を変調するための変調器３１−１〜３１−ｎを備える。
【００３４】
その信号の流れは、次のようである。
【００３５】
図３の多波長光源３６は、サーキュレータ３５を通じて多重化／逆多重化器３４へ、情報がのっていない多波長形態の光信号を提供する。この光信号は、多重化／逆多重化器３４を通じて逆多重化されて各波長に分離され、光空間スイッチ３３の多重化／逆多重化器３４のポートにそれぞれ連結される。
【００３６】
光空間スイッチ３３は、どの伝送チャンネルがどの波長を利用するものかを示した情報を受信して光スイッチ状態を換え、これにより、多重化／逆多重化器３４から出力される各波長別ポートの光信号が該当チャンネルカード３７−１〜３７−ｎに供給される。
【００３７】
そして、各チャンネルに出力された個別波長は、サーキュレータ３２−１〜３２−ｎを通じて変調器３１−１〜３１−ｎへ向かい、変調器３１−１〜３１−ｎを通過することにより、伝送すべき信号がのせられる。
【００３８】
サーキュレータ３２−１〜３２−ｎの入力用のポート(１→２)を通じて入力される波長と行き違って、出力用のポート(３→１)を通じて光空間スイッチ３３と連結されると、光空間スイッチ３３内で先に通過してきた経路をそのままたどって多重化／逆多重化器３４の各ポートへ進行する。
【００３９】
多重化／逆多重化器３４は、情報をのせたそれぞれの波長の信号を多重化し、サーキュレータ３５を通じて、情報をのせていない多波長形態の光信号(ポート１→２)と行き違って伝送ケーブル３８へ伝達される(ポート２→３)。
【００４０】
以上の例において多波長光源の性能が伝送システムの規格に及ばない場合、各波長のレーザダイオード(ＬＤ)を使用して光源を供給することもできる。このような場合、光部品の価格の比較結果とシステムの性能に従って光多重化器を使用する方法を使用することもできる。
【００４１】
図４は、光多重化器を使用した構成の多波長光源を利用する本発明による送信装置の第２実施例を示す。
【００４２】
図４に示すように、本例では、それぞれ異なる波長の光信号を発生させる複数の個別波長光源４６−１〜４６−ｎ及びこれら個別波長光源から光信号を受信して多重化し、１つの多波長光として伝送する多重化器４７を利用して多波長光源を作り出す。図４に示す実施例では、多重化／逆多重化器４４のチャンネル数に該当する数の個別波長光源を有するが、その数が相互に異なっても本発明の多波長光源の形成には影響ない。
【００４３】
図４に示す実施例の構造は、多波長光源を除外すると、図３に示すものと同様であるので、図４における他の部分の構成及び動作の詳細な説明は省略するものとする。
【００４４】
図５は、本発明による複数の個別波長光源を利用した送信装置の第３実施例を示す。
【００４５】
図５に示す複数の個別波長光源を利用した送信装置は、図３及び図４に示す例のような、多波長光源を逆多重化し、その逆多重化波長別光信号に対して電光(Electro-Optic)変換を行って信号を伝送する装置とは異なり、多波長光源を使用せず、複数のレーザダイオードのように複数の個別波長光源５５−１〜５５−ｎを利用して本発明の概念を実現しているので、上記第１及び第２実施例とは若干異なっている。
【００４６】
しかし、図５に示す送信装置は個別波長光源５５−１〜５５−ｎのそれぞれから生成された光信号をスイッチングすることに変わりはないので、図３及び図４に示す送信装置の基本概念(basic scheme)と同様の概念で本発明を実現していると理解することができる。
【００４７】
以上、本発明の詳細について具体的な実施形態に基づき説明してきたが、本発明の範囲を逸脱しない限り、各種の変形が可能なのは明らかである。従って、本発明の範囲は、上記実施形態に限られるものではなく、特許請求の範囲のみならず、その範囲と均等なものにより定められるべきである。
【図面の簡単な説明】
【００４８】
【図１】従来技術による波長変換器を利用した一般的な送信装置の構成を示す図。
【図２】従来技術による可変波長光源を利用した送信装置の構成を示す図。
【図３】本発明の第１実施例を示し、多波長光源を利用した送信装置の構成を示す図。
【図４】本発明の第２実施例を示し、光多重化器を使用した多波長光源を利用した送信装置の構成を示す図。
【図５】本発明の第３実施例を示し、複数の個別波長光源を利用した送信装置の構成を示す図。
【符号の説明】
【００４９】
３１−１〜ｎ，４１−１〜ｎ，５１−１〜ｎ  変調器(Modulator)
３２−１〜ｎ，４２−１〜ｎ，５２−１〜ｎ  サーキュレータ
３３，４３，５３  光空間スイッチ(Optical Space Switch)
３４，４４，５４  多重化／逆多重化器(Multiplexer/Demultiplexer)
３５，４５，５６−１〜ｎ  サーキュレータ
３６  多波長光源(Multiple Lambda Source)
３７−１〜ｎ，４８−１〜ｎ，５７−１〜ｎ  チャンネルカード
３８  伝送ケーブル（光ファイバケーブル）
４６−１〜ｎ，５５−１〜ｎ  個別波長光源
４７  多重化器（光源の）
【図１】
2004208310.tif 000003
【図２】
2004208310.tif 000004
【図３】
2004208310.tif 000005
【図４】
2004208310.tif 000006
【図５】
2004208310.tif 000007